(57)【要約】      （修正有）【課題】屏風パネルの角度調整ができる屏風を提供する。【解決手段】角度調整できる屏風は、少なくとも二枚の屏風パネル１０を含み、屏風パネルの両側辺の上方にそれぞれ連接ベース２０が固定され、連接ベースの外側上方に設けられ、互いにかみ合う二つの歯車３１を有する角度調整装置３０が二つの屏風パネルをジョイントする。屏風パネルは隣接する辺によって互いに連結したり、または需要に応じて屏風パネルを増やしたりできる。屏風の一番外側にある二つの連接ベースにはそれぞれ端蓋が設けられ、連接ベースを封じる。【選択図】図２
0003229074.tif 000002
【実用新案登録請求の範囲】
【請求項１】
少なくとも二枚の屏風パネルを含む角度調整できる改良型の屏風であって、
前記屏風パネルの両側辺の上方にそれぞれ連接ベースが固定され、二つの前記連接ベースによって角度調整装置がジョイントするために設けられることによって、前記屏風パネルは隣接する辺によって互いに連結したり、または需要に応じてて前記屏風パネルを増やしたりし、前記屏風の一番外側にある二つの連接ベースにはそれぞれ端蓋が設けられ、前記端蓋の設置によって前記連接ベースを封じ、そして、
前記連接ベースの外側上方には切り込みが設けられ、前記切り込みの設置によって前記連接ベースに第一平面と、階段状部と、底部とが形成され、前記階段状部は下へ向かって挿し込み溝が設けられ、前記挿し込み溝の側辺中央は縮径する開口によって前記第一平面を貫通し、前記切り込みの中央は前記底部に連接して、また上方にはカギ穴がある結合柱が設けられ、前記結合柱によって前記角度調整装置の取り付けが行われ、
前記角度調整装置は二つの歯車と一枚の連接パネルとを含み、前記歯車の中央にはスリーブが設けられ、異なる辺にはそれぞれ第二平面が設けられ、前記第二平面の中央は縮径するネープ部が突き出して嵌めブロックと接続され、前記嵌めブロック、ネープ部を前記挿し込み溝、開口にそれぞれ合わせて嵌め入れ、さらに前記スリーブが前記結合柱を穿設するために設けられることによって、前記二つの歯車が互いに噛み合わせる形で隣接する二枚の屏風パネルの連接ベースにそれぞれ取り付けられて固定され、前記二つの連接ベースの結合柱によって前記連接パネルと係合することを実現することによって、前記二枚の屏風パネルの隣接する辺が互いに連結でき、また前記歯車が前記連接ベースより外れることを阻止でき、
前記端蓋の片側上方には覆い部が伸び、前記端蓋がネジによって前記連接ベースの結合柱に締め付けられる時、前記端蓋と覆い部によって前記連接ベースの切り込みと階段状部が封じられることを特徴とする角度調整できる改良型の屏風。
【請求項２】
前記結合柱とスリーブは上が大きく、下が小さい階段状を呈し、また長径段の片側はそれぞれ互いに係合できる少なくとも一つの位置決め突起部と位置決め溝とが設けられることを特徴とする請求項１の角度調整できる改良型の屏風。
【考案の詳細な説明】
【技術分野】
【０００１】
本考案は屏風の構造に関し、特に屏風パネル同士の角度を調整できる屏風構造に関する。
【背景技術】
【０００２】
屏風の最初の目的は風除けと目隠しのためにあり、時代とともに絶えず進化し続け、その形も初めの一枚パネルから組み合わせ可能な多数枚パネルに進化した。しかし、一般的なインテリアまたは間仕切りするための屏風の大きさ、角度と形は工場で決められて製造されるため、間仕切りしたい部分によって調整して変化させることが難しく、従来一般の屏風は変化に富んだ使用方法がなく、また使用者が自分で多数枚の屏風パネルを必要な大きさや形に組み立てたい場合、境目が互いにジョイントできないため、組み立てた後は安定的に置けない問題がある。
【０００３】
このため、使用者が需要によって自分で必要な形や大きさに組み立てられ、組み立てた後の屏風の境目が互いにジョイントでき、置く時の安定性を増加させる屏風を開発することは考案人が改良したい問題点である。
【０００４】
従って、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００５】
従来技術に存在する上述の欠点について解決し、角度調整できる改良型の屏風を提供する。
【課題を解決するための手段】
【０００６】
角度調整できる改良型の屏風は、該屏風は少なくとも二枚の屏風パネルを含む。上述屏風パネルの両側辺の上方にそれぞれ連接ベースが固定され、二つの上述連接ベースによって角度調整装置がジョイントするために設けられることによって、上述屏風パネルは隣接する辺によって互いに連結したり、または需要に応じて上述屏風パネルを増やしたりする。該屏風の一番外側にある二つの連接ベースにはそれぞれ端蓋が設けられ、該端蓋の設置によって上述連接ベースを封じる。そして、連接ベースの外側上方には切り込みが設けられ、該切り込みの設置によって上述連接ベースに第一平面と、階段状部と、底部とが形成される。上述階段状部は下へ向かって挿し込み溝が設けられ、該挿し込み溝の側辺中央は縮径する開口によって上述第一平面を貫通する。上述切り込みの中央は上述底部に連接して、また上方にはカギ穴がある結合柱が設けられ、該結合柱によって上述角度調整装置の取り付けが設けられる行われる。角度調整装置は二つの歯車と一枚の連接パネルとを含む。該歯車の中央にはスリーブが設けられ、異なる辺にはそれぞれ第二平面が設けられる。上述第二平面の中央は縮径するネープ部が突き出して嵌めブロックと接続され、該嵌めブロック、ネープ部を上述挿し込み溝、開口にそれぞれ合わせて嵌め入れ、さらに上述スリーブが上述結合柱を穿設するために設けられることで、上述二つの歯車が互いに噛み合わせる形で隣接する二枚の屏風パネルの連接ベースにそれぞれ取り付けられて固定される。上述二つの連接ベースの結合柱によって上述連接パネルと係合すること実現することによって、上述二枚の屏風パネルの隣接する辺が互いに連結でき、また上述歯車が上述連接ベースより外れることを阻止できる。端蓋の片側上方には覆い部が伸び、該端蓋がネジによって上述連接ベースの結合柱に締め付けられる時、該端蓋と覆い部によって上述連接ベースの切り込みと階段状部が封じられる。これによって、角度調整できる改良型の屏風が得られる。
【０００７】
本考案が従来技術に対照した効果は以下である。（一）上述屏風は正方向、逆方向の任意な角度調整ができ、室内空間の間仕切りまたはインテリアに合わせるために相応した変化を行うことで、上述屏風の使用においてより変化に富み、上述角度調整装置によって各屏風パネル間は互いに連結した上、上述屏風が設置においてより安定的である。
【０００８】
（二）該屏風は同じ連接ベースによって上述歯車または端蓋が選択されて取り付けられることを実現し、該共通の構造により、生産と型開発にかかるコストが大幅に下げられるため、該屏風は市場において競争力が優れる。
【図面の簡単な説明】
【０００９】
【図１】図１は、本考案に係る角度調整できる改良型の屏風を示す立体組合せ図である。
【図２】図２は、本考案に係る角度調整できる改良型の屏風を示す立体分解図である。
【図３】図３は、本考案の連接ベースと歯車の立体拡大図である。
【図４】図４は、本考案の組合せ断面図一である。
【図５】図５は、本考案の組合せ断面図二である。
【図６】図６は、本考案の端蓋の取り付け状態図である。
【図７】図７は、本考案の端蓋を取り付けた後の断面図である。
【図８】図８は、本考案を角度調整した後の状態図一である。
【図９】図９は、本考案を角度調整した後の状態図二である。
【考案を実施するための形態】
【００１０】
まず、図１から図７を参照されたい。角度調整できる改良型の屏風は、該屏風（１）は少なくとも二枚の屏風パネル（１０）を含む。上述屏風パネル（１０）の両側辺の上方にそれぞれ連接ベース（２０）が固定され、二つの上述連接ベース（２０）によって角度調整装置（３０）がジョイントするために設けられることで、上述屏風パネル（１０）は隣接する辺によって互いに連結したり、または需要によって上述屏風パネル（１０）を増やしたりする。該屏風（１）の一番外側（左側、右側）にある二つの連接ベース（２０）にはそれぞれ端蓋（４０）が設けられ、該端蓋（４０）の設置によって上述連接ベース（２０）を封じる。そして、連接ベース（２０）の外側上方には切り込み（２１）が設けられ、該切り込み（２１）の設置によって上述連接ベース（２０）に第一平面（２２）と、階段状部（２３）と、底部（２４）とが形成される。上述階段状部（２３）は下へ向かって挿し込み溝（２５）が設けられ、該挿し込み溝（２５）の側辺中央は縮径する開口（２６）によって上述第一平面（２２）を貫通する。上述切り込み（２１）の中央は上述底部（２４）に連接して、また上方にはカギ穴がある結合柱（２７）が設けられ、該結合柱（２７）によって上述角度調整装置（３０）の取り付けが設けられる。角度調整装置（３０）は二つの歯車（３１）と一枚の連接パネル（３２）とを含む。該歯車（３１）の中央にはスリーブ（３１１）が設けられ、異なる辺にはそれぞれ第二平面（３１２）が設けられる。上述第二平面（３１２）の中央は縮径するネープ部（３１３）が突き出して嵌めブロック（３１４）と接続され、該嵌めブロック（３１４）、ネープ部（３１３）を上述挿し込み溝（２５）、開口（２６）に合わせて嵌め入れ、さらに上述スリーブ（３１１）が上述結合柱（２７）を穿設するために設けられることで、上述二つの歯車（３１）が互いに噛み合わせる形で隣接する二枚の屏風パネル（１０）の連接ベース（２０）にそれぞれ取り付けられて固定される。上述二つの連接ベース（２０）の結合柱（２７）によって上述連接パネル（３２）と係合することを実現することによって、上述二枚の屏風パネル（１０）の隣接する辺が互いに連結でき、また上述歯車（３１）が上述連接ベース（２０）より外れることを阻止できる。端蓋（４０）の片側上方には覆い部（４１）が伸び、該端蓋（４０）がネジによって上述連接ベース（２０）の結合柱（２７）に締め付けられる時、該端蓋（４０）と覆い部（４１）によって上述連接ベース（２０）の切り込み（２１）と階段状部（２３）が封じられる。
【００１１】
その中、上述結合柱（２７）とスリーブ（３１１）は上が大きく、下が小さい階段状を呈し、また長径段の片側はそれぞれ互いに係合できる少なくとも一つの位置決め突起部（２８）と位置決め溝（３１５）が設けられる。
【００１２】
実際に使用する時、歯車（３１）と結合柱（２７）を軸心にすることで、もう一方の歯車（３１）は同じ側にある屏風パネル（１０）が動かされる時、その外周の歯部は該軸心歯車（３１）の外周歯部に沿って噛み合わさって回転する。室内空間の間仕切りとインテリアに合わせて、上述屏風（１）の角度を調整できる（同時に図５と図８を参照されたい）。上述屏風（１）が角度調整した後は完全に折り畳めるデザイン（同時に図９を参照されたい）によって、上述屏風（１）は収納または運搬する時はかさばらない上、互いに重ねられる。
【００１３】
上述具体的な実施例の構造により、以下の効果が得られる。（一）上述屏風（１）は正方向、逆方向の任意な角度調整ができ、室内空間の間仕切りまたはインテリアに合わせるために相応した変化を行うことで、上述屏風（１）の使用においてより変化に富み、上述角度調整装置（３０）によって各屏風パネル（１０）間は互いに連結した上、上述屏風（１）が設置においてより安定的である。（二）該屏風（１）は同じ連接ベース（２０）によって上述歯車（３１）または端蓋（４０）が選択されて取り付けられることを実現し、該共通の構造により、生産と型開発にかかるコストが大幅に下げられるため、該屏風（１）は市場において競争力が優れる。
【００１４】
以上は、本考案に係る実施例の一部に過ぎないため、本考案の実施範囲を制限するものではない。即ち、本考案登録請求の範囲内で行われる変化、修飾なども本考案の範囲に属すべきである。
【符号の説明】
【００１５】
（１）              屏風
（１０）            屏風パネル
（２０）            連接ベース
（２１）            切り込み
（２２）            第一平面
（２３）            階段状部
（２４）            底部
（２５）            挿し込み溝
（２６）            開口
（２７）            結合柱
（２８）            位置決め突起部
（３０）            角度調整装置
（３１）            歯車
（３１１）          スリーブ
（３１２）          第二平面
（３１３）          ネープ部
（３１４）          嵌めブロック
（３１５）          位置決め溝
（３２）            連接パネル
（４０）            端蓋
（４１）            覆い部
【図１】
0003229074.tif 000003
【図２】
0003229074.tif 000004
【図３】
0003229074.tif 000005
【図４】
0003229074.tif 000006
【図５】
0003229074.tif 000007
【図６】
0003229074.tif 000008
【図７】
0003229074.tif 000009
【図８】
0003229074.tif 000010
【図９】
0003229074.tif 000011